(57)【要約】【課題】本発明は、コントローラにＵＳＢメモリ形状の無線通信器を差し込むことで、電気機器と通信する無線方式を追加するコントローラに関するものである。【解決手段】本発明のコントローラ１０は、無線通信器１０３を接続することで、電気機器と通信する無線方式を追加するコントローラである。コントローラ１０は、電気機器と通信する通信回路基板と、無線通信器を接続するポート３１の挿入口を露出させるポート孔３４を備える回転部３０と、通信回路基板と回転部３０とを包含する筺体１１とを備える。筺体１１は、開口部１３を備える。回転部３０は、開口部１３からポート孔３４を含む一部表面を露出させて筺体１１の内部に備えることを特徴とする。【選択図】図２
2017069686.tif 000002
【特許請求の範囲】
【請求項１】
無線通信器を接続することで、
電気機器と通信する無線方式を追加するコントローラであって、
前記電気機器と通信する通信回路基板と、
前記無線通信器を接続するポートの挿入口を露出させるポート孔を備える回転部と、
前記通信回路基板と前記回転部と、を収容する筺体と、
を備え、
前記筺体は、開口部を備え、
前記開口部から前記ポート孔を含む一部表面を露出させて前記回転部を前記筺体の内部に収容するコントローラ。
【請求項２】
請求項１において、
前記回転部は、
前記無線通信器を挿入させるポートを搭載するポート基板と、
前記ポート基板を保持するポート保持部と、
前記ポート保持部を保持し、前期筺体内部で可動させる可動部と、を備え、
前記可動部は、第１可動部材と第２可動部材とを有し、
前記第１可動部材と前記第２可動部材とは、各可動部材の間に前記ポート保持部を備え、前記第１可動部材と前記第２可動部材との各ベース面における中心を通る第１中心軸と、前記ポート保持部材のベース面における中心を通る第２中心軸がと直角に交わるコントローラ。
【請求項３】
請求項１または２において、
前記第１可動部材と前記第２可動部材とは、
それぞれ、略円形の前記ベース面と周壁と、開口部とを備えた形状であって、
前記ベース面と前記周壁は、前記ベース面の周から中心にかけて切りかけ部を備え、
前記回転部は、
前記切りかけ部に、前記ポート保持部を挟み込み、
前記第１可動部材と前記第２可動部材を結合することで一体とするコントローラ。
【請求項４】
請求項１乃至３のいずれか一項において、
前記開口部は、
前記ポート孔を第１方向から第２方向へと可動させる２方面に亘って、
備えるコントローラ。
【発明の詳細な説明】
【技術分野】
【０００１】
本発明は、コントローラにＵＳＢメモリ形状の無線通信器を差し込むことで、電気機器と通信する無線方式を追加するコントローラに関するものである。
【背景技術】
【０００２】
近年、ＨＥＭＳコントローラのように電気機器と通信するコントローラがある。このようなコントローラへの無線方式の搭載方法としては、必要な無線方式だけを後からコントローラにＵＳＢメモリ形状の無線通信器を差し込むことで追加する方法が考えられる。
従来のＵＳＢメモリ形状の無線通信器は、受け側としてＵＳＢポート側に設けられた山形状のロック片を、無線通信器のコネクタに形成された孔部に係合させる係止構造であった。このため、係止力が比較的弱く、無線通信器側に振動や外力が作用すると、係合が解除されて抜ける虞があった。
【０００３】
上述した問題の対策として、特許文献１には、無線通信器のコネクタにキャップを用いて受け側としてＵＳＢポートとの抜けを防止するようにしたコネクタの抜け防止機構が提案されている。この文献では、無線通信器のコネクタを樹脂成形部品のキャップ内に嵌め込んで收容すると共に、キャップに設けられた爪部を受け側としてＵＳＢポートを備える筺体の孔に係合させて固定する抜け防止構造が提案されている。
【先行技術文献】
【特許文献】
【０００４】
【特許文献１】特開２００１−１３５４１３号公報
【発明の概要】
【発明が解決しようとする課題】
【０００５】
しかしながら、コネクタの抜け防止構造が設けられていない従来のＵＳＢメモリ形状の無線通信器は、コネクタに振動や外力が作用すると、容易に抜けてしまう虞がある。
本発明は、前記の問題点に鑑みてなされたものであり、その目的とするところは、受け側としてＵＳＢポートを備えるコントローラの筺体側にＵＳＢメモリ形状の無線通信器の抜け落ちを防止する機構を備えたコントローラを提供することである。
【課題を解決するための手段】
【０００６】
本発明のコントローラは、無線通信器を接続することで、電気機器と通信する無線方式を追加するコントローラである。コントローラは、電気機器と通信する通信回路基板と、無線通信器を接続するポートの挿入口を露出させるポート孔を備える回転部と、通信回路基板と回転部とを包含する筺体とを備える。筺体は、開口部を備える。回転部は、開口部からポート孔を含む一部表面を露出させて筺体の内部に備えることを特徴とする。
【発明の効果】
【０００７】
本発明は、受け側としてＵＳＢポートを備える筺体にＵＳＢメモリ形状の無線通信器の抜け落ちを防止する機構を備えたコントローラを提供することである。
【図面の簡単な説明】
【０００８】
【図１】本発明の実施形態に係るコントローラを含むシステム構成図。
【図２】本発明の実施形態に係る回転部を備えるコントローラの構成図。
【図３】本発明の実施形態に係るコントローラの回転部における分解図。
【発明を実施するための形態】
【０００９】
（第一の実施形態）
本発明の一実施形態に係るコントローラ１０は、図１に示すように、宅内において、宅内通信網ＮＴ１（有線通信ＣＬ１や無線通信ＣＬ２）と、インターネットのような電気通信回線ＮＴ２との間に介在する。コントローラ１０は、有線通信ＣＬ１や無線通信ＣＬ２で電気機器１０１と通信し、電気通信回線ＮＴ２を通して上位装置１００と通信する装置である。上位装置１００は、たとえば、住宅への電力供給に関するサービスを行う事業者が保有するサーバなどを意味する。電気機器１０１は、空調装置や照明装置、給湯器、蓄電装置などを示す。
【００１０】
コントローラ１０は、住宅に節電を要求するためのＤＲ情報（ＤＲ：Ｄｅｍａｎｄ Ｒｅｓｐｏｎｓｅ）を上位装置１００から電気通信回線ＮＴ２を通して受信すると、ＤＲ情報を受け入れ、宅内通信網ＮＴ１（有線通信ＣＬ１や無線通信ＣＬ２）を介して電気機器１０１の消費電力を管理する機能を果たす装置である。つまりコントローラ１０は、有線通信ＣＬ１や無線通信ＣＬ２を介して上位装置１００や電気機器１０１と通信する構成を有する。無線通信ＣＬ２で電気機器１０１との通信を実現する手段としては、図２に示すように、ＵＳＢメモリ形状の無線通信器１０３をコントローラ１０に接続することで、無線方式をコントローラ１０に追加する対策がとられている。無線通信器１０３は、図２に示すように、特定無線で送受信する通信部を収容する本体１０４と、コントローラ１０と接続するコネクタ１０５とで構成される。
以下、図２を参照して、コントローラ１０の構成について説明する。コントローラ１０は、通信回路基板（不図示）と、回転部３０と、これらを収容する筺体１１と、を備える。
【００１１】
通信回路基板は、コントローラ１０の制御機能を担うＣＰＵを搭載する。
【００１２】
筺体１１は、電源の起動状態、例えばオンオフを表示する表示部１２と、回転部３０を一部露出させる開口部１３を備える。本実施形態では、筺体１１は、表示部１２を備える面を前面として全６面の略直方体で構成されている場合を例に説明を行う。筺体１１は、第１方向から第２方向に亘って開口する開口部１３を備える。例えば、前面の上方から天井面の前方にかけて備える。だたし、筺体１１の構造は、直方体を限定するものではなく、面と面との境目をシームレス構造にしても、大きな面をカーブさせて構成しても良いものとする。開口部１３の位置も、これに限定するものではない。
【００１３】
回転部３０は、無線通信器１０３のコネクタ１０５を挿入するポート３１を露出させるポート孔３４を備える。このポート３１に無線通信器１０３のコネクタ１０５を接続することで、コントローラ１０は、無線ＣＬ２を用いて電気機器１０１と通信ができるようになる。つまり、上位装置１００からの信号を電気通信回路ＮＴ２を介して通信回路基板のＣＰＵに出力し、電気機器１０１に対する制御信号を構築する。そして、制御信号を宅内通信網ＮＴ１もしくは無線通信器１０３を介して電気機器１０１に出力し、電気機器１０１を制御するシステムが実現する。
【００１４】
回転部３０は、開口部１３から、ポート孔３４を含む表面の一部を露出させるよう筺体１１内部に収容され、筺体１１内部で可動する。回転部３０は、左側面から右側面に亘って中心軸を有し、この中心軸を基点に、ポート孔３４が開口部１３から露出する範囲内で前面と天井面との間を可動する。ここで可動とは、ポート３１に無線通信器１０３を挿入した場合の無線通信器１０３の本体１０４の突出方向を、例えば前面から天井面へと移動させることができる構成を意味する。無線通信器１０３は、第１方向で無線通信器１０３を挿入して、回転移動させることで第２方向に移動可能である。無線通信器１０３を第２方向に回転移動させることによって、上面視において、無線通信器１０３は筺体１１からはみ出ないようにする。この構成により、無線通信器１０３を挿入する場合は、挿入しや
すい位置でポート３１に装着でき、装着後は、筺体１１自体が防御壁となり外部物体と接触しにくい天井面に可動させ、外部物体から衝撃を受けにくくする。例えば、第１方向は前面に対して垂直方向とし、第２方向は天井面に対して鉛直方向とすることが好ましい。
【００１５】
以下、図３を参照して、回転部３０の構造説明を行う。回転部３０は、無線通信器１０３のコネクタ１０５を挿入するポート３１を搭載するポート基板３２と、ポート基板３２を収容するポート保持部３３と、ポート保持部３３を保持して、ポート３１の挿入口の位置を筺体１１内で可動させる可動部４０とで構成される。
【００１６】
ポート基板３２は、通信回路基板とリード線で接続され、通電する。
【００１７】
ポート保持部３３は、ポート基板３２を固定する器部３５と、ポート基板３２を覆い器部３５と結合して一体となる蓋部３６とを備える。器部３５は、例えば、円形状のベースで構成される。蓋部３６は、器部３５と同様の円形状のベースに、第１周壁３７を備える。第１周壁３７は、ポート３１の挿入口を露出させるポート孔３４を備える。第１周壁３７は、ポート３１の短片の大きさより大きな厚みである。ポート保持部３３の器部３５と蓋部３６は、ポート孔３４からポート３１の挿入口を露出させて一体となる。
【００１８】
可動部４０は、第１可動部材４１と第２可動部材４２とで構成される。第１可動部材４１と第２可動部材４２とは共に、円形のベースに対して第２周壁４３を設けた器形状であり、互いの開口部を接合することで内部に空洞を有して一体となる。第２周壁４３とベース面は、ベース面の円周からベース面の中心に向けて、ポート保持部３３の厚みより大きい厚みで切りかけ部４４を有する。
【００１９】
回転部３０は、第１可動部材４１と第２可動部材４２とが備える切りかけ部４４にポート保持部３３を保持して一体とする。第１可動部材４１のベース面は筺体１１の左側面と面平行とする。第２可動部材４２のベース面は筺体１１の右側面と面平行にする。第１可動部材４１と第２可動部材４２とは、互いの切りかけ部４４の方向を一致させて配置し、この切りかけ部４４にポート保持部３３を挟み込み、第１可動部材４１と第２可動部材４２とを接合して一体とする。ポート保持部３３と可動部４０は、第１可動部材４１と第２可動部材４２とが備える各ベース面の中心を通る第１中心軸Ａと、器部３５と蓋部３６とが備える各ベース面の中心を通る第２中心軸Ｂとを略直角に交差させて一体とする。これにより、回転部３０は、第２周壁４３の一部にポート孔３４を備えた略円柱状の部材となる。
【００２０】
これら一体となった回転部３０は、筺体１１の前面と天井面に亘って備える開口部１３内部に、ポート孔３４をそなえる面を露出させて収容する。可動部４０は、筺体１１と対向するベース面の略中心に凸部４５を有する。筺体１１は、凸部４５に対応する筺体１１の内表面に凹部を有する（不図示）。回転部３０は、この凸部４５を筺体１１内部の凹部に嵌め込むことで、筺体１１内に固定される。凹部は凸部４５の断面面積よりも大きいものとする。これにより、凸部４５と凹部との間に間隙ができ、回転部３０を可動させることができるようになる。回転部３０の外表面と筺体１１の内表面との間についても、接触しない程度に間隙があるものとする。この構成により、筺体１１と回転部３０との間で発生する摩擦を少なくして、回転部３０を筺体１１内部で可動させることができる。また、回転部３０の外表面と筺体１１の内表面に、それぞれ接触する引っ掛け部を設けてもよい。この場合、回転部３０のポート孔３４が、開口部１３の範囲内においてある所定位置にきた際に、ポート孔３４を所定位置で固定することができる。つまり、何段か引っ掛け部を設けることでポート孔３４の位置を調節することができるようになる。回転部３０を筺体１１に保持する方法については、この構成に限らない。
【００２１】
回転部３０の表面におけるポート孔３４の向きについても、回転部３０の回転方向とポート孔３４の長辺を一致させても、回転方向とポート孔３４の短辺を一致させても、どちらでも良い。回転部３０の回転方向とポート孔３４の長辺とを一致させる場合は、ポート保持部３３を、ポート基板３２と第１可動部材４１と第２可動部材４２のベース面とが面平行になるように固定する。回転部３０の回転方向とポート孔３４の短辺とを一致させる場合は、ポート保持部３３を、ポート基板３２が第１可動部材４１と第２可動部材４２のベース面に対して垂直面になるように固定する。
【００２２】
これらポート孔３４を筺体１１内部で回転させる構成によって、無線通信器１０３の本体１０４を外部物体に接触しやすい方向に突出させて挿入した場合でも、例えば前面から天井面に可動することで、挿入後、筺体１１自体が防御壁となり、外部物体に接触しにくくなる効果が期待できる。さらには、無線通信器１０３を挿入しない状態では、ポート孔３４の挿入口が前面を向いているため埃が侵入しにくい状態を維持し、無線通信器１０３を挿入した場合は、無線通信器１０３を挿入した状態のまま、ポート孔３４の挿入口を天井面に向けることになるので、ポート孔３４に埃が進入するといった虞も回避できるといった効果を期待できる。
【符号の説明】
【００２３】
１０  コントローラ
１１  筺体
１３  開口部
３０  回転部
３１  ポート
３２  ポート基板
３３  ポート保持部
３４  ポート孔
４０  可動部
４１  第１可動部材
４２  第２可動部材
４３  第２周壁
４４  切りかけ部
１０１  電気機器
１０３  無線通信器
Ａ  第１中心軸
Ｂ  第２中心軸
【図１】
2017069686.tif 000003
【図２】
2017069686.tif 000004
【図３】
2017069686.tif 000005